【手続補正書】
【提出日】平成18年6月8日(2006.6.8)
【手続補正１】
【補正対象書類名】明細書
【補正対象項目名】発明の名称
【補正方法】変更
【補正の内容】
【発明の名称】エンドレスベルトに補強部材を貼着する方法、エンドレスベルトに補強部材を貼着する装置、エンドレスベルトの製造方法及び電子写真装置
【手続補正２】
【補正対象書類名】明細書
【補正対象項目名】特許請求の範囲
【補正方法】変更
【補正の内容】
【特許請求の範囲】
【請求項１】  エンドレスベルトに補強部材を貼着する方法において、
該エンドレスベルトと該補強部材との両方を挟持部材により挟持し、且つ該挟持部材を相対的に該エンドレスベルトの周方向へ移動させつつ、該エンドレスベルトに該補強部材を粘着させることを特徴とするエンドレスベルトに補強部材を貼着する方法。
【請求項２】  エンドレスベルトに補強部材を貼着する方法において、
該エンドレスベルトと該補強部材との両方を挟持部材により挟持し、且つ該挟持部材を該エンドレスベルトの周方向へ移動させつつ、該エンドレスベルトに該補強部材を粘着させることを特徴とするエンドレスベルトに補強部材を貼着する方法。
【請求項３】  前記挟持部材が、少なくとも一部に前記補強部材が嵌合する溝が設けられている部材である請求項１又は２に記載のエンドレスベルトに補強部材を貼着する方法。
【請求項４】  前記挟持部材の少なくとも前記エンドレスベルトが接触する部分の一部及び前記補強部材が接触する部分の一部が樹脂からなる請求項１〜３のいずれかに記載のエンドレスベルトに補強部材を貼着する方法。
【請求項５】  前記樹脂が、フッ素樹脂、ポリアセタール樹脂、ポリアミド樹脂及びポリエーテルエーテルケトン樹脂から選ばれるいずれかである請求項４に記載のエンドレスベルトに補強部材を貼着する方法。
【請求項６】  エンドレスベルトに補強部材を貼着する装置において、
該エンドレスベルトと該補強部材との両方を挟持する挟持部材と、該挟持部材を相対的に該エンドレスベルトの周方向へ移動させる移動手段とを有することを特徴とするエンドレスベルトに補強部材を貼着する装置。
【請求項７】  エンドレスベルトに補強部材を貼着する装置において、
該エンドレスベルトと該補強部材との両方を挟持する挟持部材と、該挟持部材を該エンドレスベルトの周方向へ移動させる移動手段とを有することを特徴とするエンドレスベルトに補強部材を貼着する装置。
【請求項８】  前記挟持部材が、少なくとも一部に前記補強部材が嵌合する溝が設けられている部材である請求項６又は７に記載のエンドレスベルトに補強部材を貼着する装置。
【請求項９】  前記挟持部材の少なくとも前記エンドレスベルトが接触する部分の一部及び前記補強部材が接触する部分の一部が樹脂からなる請求項６〜８のいずれかに記載のエンドレスベルトに補強部材を貼着する装置。
【請求項１０】  前記樹脂が、フッ素樹脂、ポリアセタール樹脂、ポリアミド樹脂及びポリエーテルエーテルケトン樹脂から選ばれるいずれかである請求項９に記載のエンドレスベルトに補強部材を貼着する装置。
【請求項１１】  エンドレスベルトに補強部材を貼着する工程を有する、補強部材が貼着されたエンドレスベルトの製造方法において、
該エンドレスベルトに該補強部材を貼着する工程が、請求項１〜５のいずれかに記載の方法によってエンドレスベルトに補強部材を貼着する工程であることを特徴とする補強部材が貼着されたエンドレスベルトの製造方法。
【請求項１２】  中間転写ベルトを有する電子写真装置において、
該中間転写ベルトが、請求項１１に記載の製造方法により得られた、補強部材が貼着されたエンドレスベルトであることを特徴とする電子写真装置。
【請求項１３】  転写ベルトを有する電子写真装置において、
該転写ベルトが、請求項１１に記載の製造方法により得られた、補強部材が貼着されたエンドレスベルトであることを特徴とする電子写真装置。
【手続補正３】
【補正対象書類名】明細書
【補正対象項目名】０００１
【補正方法】変更
【補正の内容】
【０００１】
【発明の属する技術分野】
本発明は、エンドレスベルトに補強部材を貼着する方法、エンドレスベルトに補強部材を貼着する装置、エンドレスベルトの製造方法及び電子写真装置に関する。
【手続補正４】
【補正対象書類名】明細書
【補正対象項目名】００１３
【補正方法】変更
【補正の内容】
【００１３】
【発明が解決しようとする課題】
本発明の目的は、上述した問題を解決し、非常に簡単な構成により、補強部材を効率良く、且つ高精度でエンドレスベルトに補強部材を貼着可能な、エンドレスベルトに補強部材を貼着する方法、エンドレスベルトに補強部材を貼着する装置、エンドレスベルトの製造方法及び該エンドレスベルトを具備する電子写真装置を提供することにある。
【手続補正５】
【補正対象書類名】明細書
【補正対象項目名】００１４
【補正方法】変更
【補正の内容】
【００１４】
【課題を解決するための手段】
本発明に従って、エンドレスベルトに補強部材を貼着する方法において、
該エンドレスベルトと該補強部材との両方を挟持部材により挟持し、且つ該挟持部材を相対的に該エンドレスベルトの周方向へ移動させつつ、該エンドレスベルトに該補強部材を粘着させるエンドレスベルトに補強部材を貼着する方法が提供される。
また、本発明に従って、エンドレスベルトに補強部材を貼着する方法において、
該エンドレスベルトと該補強部材との両方を挟持部材により挟持し、且つ該挟持部材を該エンドレスベルトの周方向へ移動させつつ、該エンドレスベルトに該補強部材を粘着させることを特徴とするエンドレスベルトに補強部材を貼着する方法が提供される。
また、本発明に従って、エンドレスベルトに補強部材を貼着する装置において、
該エンドレスベルトと該補強部材との両方を挟持する挟持部材と、該挟持部材を相対的に該エンドレスベルトの周方向へ移動させる移動手段とを有することを特徴とするエンドレスベルトに補強部材を貼着する装置が提供される。
また、本発明に従って、エンドレスベルトに補強部材を貼着する装置において、
該エンドレスベルトと該補強部材との両方を挟持する挟持部材と、該挟持部材を該エンドレスベルトの周方向へ移動させる移動手段とを有することを特徴とするエンドレスベルトに補強部材を貼着する装置が提供される。
また、本発明に従って、エンドレスベルトに補強部材を貼着する工程を有する、補強部材が貼着されたエンドレスベルトの製造方法において、
該エンドレスベルトに該補強部材を貼着する工程が、上記の方法によってエンドレスベルトに補強部材を貼着する工程であることを特徴とする補強部材が貼着されたエンドレスベルトの製造方法が提供される。
また、本発明に従って中間転写ベルトを有する電子写真装置において、
該中間転写ベルトが、上記の製造方法により得られた、補強部材が貼着されたエンドレスベルトであることを特徴とする電子写真装置が提供される。
更に、本発明に従って転写ベルトを有する電子写真装置において、
該転写ベルトが、上記の製造方法により得られた、補強部材が貼着されたエンドレスベルトであることを特徴とする電子写真装置が提供される。
【手続補正６】
【補正対象書類名】明細書
【補正対象項目名】０１０８
【補正方法】変更
【補正の内容】
【０１０８】
【発明の効果】
以上説明したように、本発明により、エンドレスベルトに補強部材を粘着する際に、エンドレスベルトと補強部材との両方を挟持し、挟持する部材の少なくともエンドレスベルトと補強部材とが接触する部分の一部に、摩擦抵抗の少ない、滑り性の優れた樹脂を用いることにより、エンドレスベルトに補強部材を円滑に粘着でき、非常に簡単な構造の装置にもかかわらず、エンドレスベルトの所定位置に、補強部材を位置精度良く、効率的に粘着することができるエンドレスベルトに補強部材を貼着する方法、エンドレスベルトに補強部材を貼着する装置、エンドレスベルトの製造方法及び該エンドレスベルトを具備する電子写真装置を提供することが可能となった。